(57)【要約】【課題】印刷用紙が装置内に滞留した状態で停止することを防止する。【解決手段】給紙台４２に載置された印刷用紙Ｗを１枚づつ給紙する給紙部４と、穿孔された孔版原紙が外周面に巻装され、給紙部４により給紙された印刷用紙Ｗに圧接しながら回転軸Ｐ１を中心に回転することにより印刷用紙Ｗに印刷するドラム３２と、回転軸Ｐ２が回転されることにより発電するメインモータ３１と、回転軸Ｐ１及び回転軸Ｐ２に機械的に接続された回転軸Ｐ３を有し、人力により回転軸Ｐ３が回転されることにより、回転軸Ｐ１及び回転軸Ｐ２を回転させるハンドル１０１と、回転軸Ｐ２の回転速度を検出する回転速度検出センサ７７と、メインモータ３１により発電された電力を用いて、回転速度検出センサ７７により検出された回転速度に応じて、給紙部４に給紙させるように制御する制御部８とを備える。【選択図】      図４
2013132844.tif 000002
【特許請求の範囲】
【請求項１】
給紙台に載置された印刷媒体を１枚づつ給紙する給紙手段と、
穿孔された孔版原紙が外周面に巻装され、前記給紙手段により給紙された印刷媒体に圧接しながら第１の回転軸を中心に回転することにより前記印刷媒体に印刷するドラムと、
第２の回転軸が回転されることにより発電する発電手段と、
前記第１の回転軸及び前記第２の回転軸に機械的に接続された第３の回転軸を有し、人力により前記第３の回転軸が回転されることにより、前記第１の回転軸及び前記第２の回転軸を回転させる回転操作部材と、
前記第２の回転軸の回転速度を検出する回転速度検出手段と、
前記発電手段により発電された電力を用いて、前記回転速度検出手段により検出された回転速度が所定速度未満の場合に、前記ドラムにより印刷された印刷用紙が当該孔版印刷装置から排紙された後に前記給紙手段に給紙させ、前記回転速度検出手段により検出された回転速度が前記所定速度以上の場合に、前記ドラムにより印刷された印刷用紙が当該孔版印刷装置から排紙される前に、前記給紙手段に給紙させるように制御する制御手段と、
を備えたことを特徴とする孔版印刷装置。
【請求項２】
前記制御手段は、
前記回転速度検出手段により検出された回転速度が、前記所定速度よりも低速である第２の所定速度より低い場合に、前記給紙手段に給紙を停止させる
ことを特徴とする請求項１記載の孔版印刷装置。
【発明の詳細な説明】
【技術分野】
【０００１】
本発明は、人力により発電された電力を用いて印刷を行う孔版印刷装置に関する。
【背景技術】
【０００２】
一般的に、製版された孔版原紙をドラムに着版した後、印刷用紙をこのドラムに給紙し、この供給された印刷用紙をプレスローラによりドラムに圧接することにより印刷を行う孔版印刷装置が良く知られている。
【０００３】
ここで、停電等により外部からの電力供給が停止した場合、孔版印刷装置に電力供給できず使用できなくなる。
【０００４】
そこで、特許文献１には、ソーラーパネルで発電された電力により印刷動作を実行する画像形成装置が提案されている。
【先行技術文献】
【特許文献】
【０００５】
【特許文献１】特開平１０−２４０４８１号公報
【発明の概要】
【発明が解決しようとする課題】
【０００６】
しかしながら、特許文献１に記載の画像形成装置では、ソーラーパネルで発電するので、夜間や災害時に天気の悪い日が続いた場合は、画像形成装置を可動させるのに十分な電力を発電することが困難であった。
【０００７】
また、発電量が低下すると、印刷途中で停止してしまう場合がある。孔版印刷装置では、連続して印刷用紙がドラムに給紙されるので、印刷途中で停止すると、印刷用紙が装置内に滞留し、これにより紙詰まりが生じる場合があった。
【０００８】
本発明は、上記課題に鑑みてなされたものであり、印刷用紙が装置内に滞留した状態で停止することを防止する孔版印刷装置を提供することを目的とする。
【課題を解決するための手段】
【０００９】
上記目的を達成するため、本発明に係る孔版印刷装置の第１の特徴は、給紙台に載置された印刷媒体を１枚づつ給紙する給紙手段と、穿孔された孔版原紙が外周面に巻装され、前記給紙手段により給紙された印刷媒体に圧接しながら第１の回転軸を中心に回転することにより前記印刷媒体に印刷するドラムと、第２の回転軸が回転されることにより発電する発電手段と、前記第１の回転軸及び前記第２の回転軸に機械的に接続された第３の回転軸を有し、人力により前記第３の回転軸が回転されることにより、前記第１の回転軸及び前記第２の回転軸を回転させる回転操作部材と、前記第２の回転軸の回転速度を検出する回転速度検出手段と、前記発電手段により発電された電力を用いて、前記回転速度検出手段により検出された回転速度が所定速度未満の場合に、前記ドラムにより印刷された印刷用紙が当該孔版印刷装置から排紙された後に前記給紙手段に給紙させ、前記回転速度検出手段により検出された回転速度が前記所定速度以上の場合に、前記ドラムにより印刷された印刷用紙が当該孔版印刷装置から排紙される前に、前記給紙手段に給紙させるように制御する制御手段と、を備えたことにある。
【００１０】
上記目的を達成するため、本発明に係る孔版印刷装置の第２の特徴は、前記制御手段は、前記回転速度検出手段により検出された回転速度が、前記所定速度よりも低速である第２の所定速度より低い場合に、前記給紙手段に給紙を停止させることにある。
【発明の効果】
【００１１】
本発明に係る孔版印刷装置の第１の特徴によれば、発電手段により発電された電力を用いて、回転速度検出手段により検出された回転速度が所定速度未満の場合に、ドラムにより印刷された印刷用紙が当該孔版印刷装置から排紙された後に給紙手段に給紙させ、回転速度検出手段により検出された回転速度が所定速度以上の場合に、ドラムにより印刷された印刷用紙が当該孔版印刷装置から排紙される前に、給紙手段に給紙させるように制御するので、印刷用紙が装置内に滞留した状態で停止することを防止することができる。
【００１２】
本発明に係る孔版印刷装置の第２の特徴によれば、回転速度検出手段により検出された回転速度が、所定速度よりも低速である第２の所定速度より低い場合に、給紙手段に給紙を停止させるので、第２の所定速度を予め設定しておくことにより、印刷不可能な発電量の場合には、給紙自体を停止することにより、印刷用紙が装置内に滞留した状態で停止することを防止することができる。
【図面の簡単な説明】
【００１３】
【図１】本発明の実施例１である孔版印刷装置の構成を示す構成図である。
【図２】本発明の実施例１である孔版印刷装置の斜視図である。
【図３】本発明の実施例１である孔版印刷装置のメインモータ周辺の拡大図である。
【図４】本発明の実施例１である孔版印刷装置の機能構成を示した機能構成図である。
【図５】本発明の実施例１である孔版印刷装置における処理手順を示したフローチャートである。
【発明を実施するための形態】
【００１４】
以下、本発明の実施の形態を、図面を参照しながら詳細に説明する。
【実施例１】
【００１５】
本発明の実施例１では、人力でドラムを回転することにより印刷を行うと共に、人力発電された電力に応じて給紙を行う孔版印刷装置を例に挙げて説明する。
【００１６】
＜孔版印刷装置の構成＞
図１は、本発明の実施例１である孔版印刷装置の構成を示す構成図である。
【００１７】
図１に示すように、本発明の実施例１である孔版印刷装置１は、製版部２と、印刷部３と、給紙部４と、排紙部５と、排版部６と、操作部７と、制御部８と、画像読み取り部９とを備えている。
【００１８】
画像読み取り部９は、孔版印刷装置１の上部に設けられ、図示しないコンタクトガラス上に載置された原稿から画像データを読み取る。
【００１９】
製版部２は、ロールされた長尺状の孔版原紙Ｇを収容する原紙収容部２２と、この原紙収容部２２の搬送下流に配置されたサーマルヘッド２３と、このサーマルヘッド２３の対向位置に配置されたプラテンロール２４と、このプラテンロール２４及びサーマルヘッド２３の搬送下流に配置された一対の原紙送りロール２５と、プラテンロール２４及び原紙送りロール２５を回転駆動させるライトパルスモータ２６と、一対の原紙送りロール２５の搬送下流に配置された原紙カッタ２７とを有する。
【００２０】
そして、製版部２は、プラテンロール２４と原紙送りロール２５の回転により長尺状の孔版原紙Ｇを搬送し、画像読み取り部９により読み取られた画像データ（印刷ジョブ）に基づき、サーマルヘッド２３の各点状発熱体が選択的に発熱動作することにより孔版原紙Ｇに感熱穿孔して製版し、この製版された孔版原紙Ｇを原紙カッタ２７で切断して所定長さの孔版原紙Ｇを作製する。
【００２１】
印刷部３は、メインモータ３１の駆動力によって回転軸Ｐ１を中心に矢印Ａ方向に回転するドラム３２と、このドラム３２の外周面に設けられ、孔版原紙Ｇの先端をクランプする原紙クランプ部３３とを備えている。
【００２２】
また、印刷部３は、ドラム３２の外周面に孔版原紙Ｇが巻き付け装着されているか否かを検出する原紙確認センサ３４と、ドラム３２の基準位置を検出する基準位置検出センサ３５と、メインモータ３１の回転軸Ｐ２の回転に応じて定周期でパルス信号を出力するロータリエンコーダ３６とを有する。基準位置検出センサ３５の検出出力を基にロータリエンコーダ３６のパルス信号を検出することによってドラム３２の回転位置を検出することができるようになっている。
【００２３】
さらに、印刷部３は、ドラム３２の下方位置に配置されたプレスロール３７を有し、このプレスロール３７はソレノイド部３８の駆動力によってドラム３２の外周面に押圧する押圧位置と、ドラム３２の外周面から離間する待機位置との間で変移可能に構成されている。プレスロール３７は、給紙部４からの給紙動作に同期して待機位置から押圧位置に変移され、印刷用紙Ｗがドラム３２の下部を通過する際のみ押圧位置に位置され、それ以外の時には待機位置に位置されるようになっている。
【００２４】
そして、製版部２から搬送される孔版原紙Ｇの先端を原紙クランプ部３３でクランプし、このクランプした状態でドラム３２が回転されて孔版原紙Ｇがドラム３２の外周面に巻き付け装着される。そして、ドラム３２の回転に同期して給紙部４より給紙される印刷用紙Ｗをプレスロール３７でドラム３２に巻装された孔版原紙Ｇに押圧することによって印刷用紙Ｗに孔版原紙Ｇの穿孔からインクが転写されて画像が印刷されるようになっている。
【００２５】
給紙部４は、印刷用紙Ｗが積層される給紙台４２と、この給紙台４２から最上位置の印刷用紙Ｗのみを搬送させる１次給紙ロール４３，４４と、この１次給紙ロール４３，４４によって搬送された印刷用紙Ｗをドラム３２の回転に同期してドラム３２とプレスロール３７間に搬送する一対の２次給紙ロール４５と、この一対の２次給紙ロール４５間に印刷用紙Ｗが搬送されたか否かを検出する給紙センサ４６と、給紙台４２に積層された印刷用紙Ｗを検出する紙有無センサ４８とを有する。１次給紙ロール４３，４４には給紙クラッチ４７を介してメインモータ３１の回転が選択的に伝達されるように構成されている。
【００２６】
排紙部５は、印刷された印刷用紙Ｗをドラム３２から分離する用紙分離爪５１と、風力にて印刷用紙Ｗをドラム３２から分離する分離ファン５６と、この用紙分離爪５１によりドラム３２から離間された印刷用紙Ｗを搬送する排紙ローラ５２と、この排紙ローラを駆動する排紙モータ５５と、この排紙ローラ５２上を印刷用紙Ｗが通過するか否かを検出する紙ジャム検出センサ５３と、排紙ローラ５２により排紙される印刷用紙Ｗが載置される排紙台５４とを有する。
【００２７】
また、排紙ローラ５２には、排紙ファン５２ａが設けられ、印刷用紙Ｗを排紙ローラ５２で排紙できるように排紙ローラ５２側に吸引する。
【００２８】
紙ジャム検出センサ５３は、印刷部３で印刷された印刷用紙Ｗが正しく搬送されて来るか否かを検出する。印刷後に所定時間経過しても紙ジャム検出センサ５３が印刷用紙Ｗの搬送を検出しない場合には、印刷部３内で印刷用紙Ｗが滞留していると判定される。
【００２９】
排版部６は、ドラム３２の外周面よりクランプ解除された孔版原紙Ｇの先端を導き、この導いた使用済みの孔版原紙Ｇをドラム３２より引き剥がしながら搬送する排版搬送手段６１と、この排版搬送手段６１により搬送されて来る孔版原紙Ｇを収納する排版ボックス６２と、排版搬送手段６１により排版ボックス６２内に搬送されて来た孔版原紙Ｇを排版ボックス６２の奥に押し込む排版圧縮部材６３とを有する。
【００３０】
操作部７は、表示／入力パネル（図示しない）と、製版や印刷等を開始させるためのスタートキー、製版や印刷等を停止させるためのストップキー、印刷枚数等を入力するためのテンキー（いずれも図示せず）等の各種操作キーとを備え、利用者操作に基づく操作信号を制御部８に供給する。
【００３１】
操作部７の表示／入力パネルは、前面に配置された感圧式あるいは静電式の透明なタッチパネルと、このタッチパネルの裏面に配置され、各種表示画面を表示する液晶表示パネル（いずれも図示せず）とを有している。利用者は、液晶表示パネルの表示画面を見ながら、タッチパネルの表面を指などで直接触れることで、各種設定することができる。
【００３２】
制御部８は、孔版印刷装置１の中枢的な制御を行う。具体的には、制御部８は、製版部２と、印刷部３と、給紙部４と、排紙部５及び排版部６とを制御することにより印刷処理を実行する。制御部８の構成については、後述する。
【００３３】
図２は、本発明の実施例１である孔版印刷装置１の斜視図であり、図３は、本発明の実施例１である孔版印刷装置１のメインモータ３１周辺の拡大図である。
【００３４】
図２，図３に示すように、孔版印刷装置１の筐体１００に、メインモータ３１が固定されており、このメインモータ３１の回転軸Ｐ２にプーリ１０７が固定されている。プーリ１０７は、ドラム３２の回転軸Ｐ１に固定されたプーリ１０９との間で、無端のベルト１１１が掛け渡されている。また、このベルト１１１のベルトテンションを調整するための、テンションローラ１１２が設けられている。
【００３５】
また、回転軸Ｐ２に固定された駆動用第１歯車１０６が設けられており、この駆動用第１歯車１０６と係合するように、回転軸Ｐ３に固定された駆動用第２歯車１０５が設けられている。
【００３６】
さらに、回転軸Ｐ３を回転させるように、ハンドル１０１が設けられている。このハンドル１０１は、回転軸Ｐ３の先端に固定された支持部１０１ｂと、ユーザの持ち手となる持手部１０１ａと、持手部１０１ａのエンド部分に設けられた押釦１０１ｃとを備えている。また、回転軸Ｐ３には、ハンドル１０１の回転をメインモータ３１とドラム３２に回転駆動を伝達させるか、又は回転駆動を伝達させないかを切り替えるワンウェイクラッチ１０３が設けられている。具体的には、ユーザが、持手部１０１ａを持ち、Ｘ２方向にハンドル１０１を回転させると、メインモータ３１とドラム３２に回転駆動を伝達させ、Ｘ１方向にハンドル１０１を回転させると、メインモータ３１とドラム３２に回転駆動を伝達させないような構造を有する。
【００３７】
このような構成を有することにより、ユーザが、持手部１０１ａを持ち、回転軸Ｐ３を中心にＸ２方向にハンドル１０１を回転させると、駆動伝達機構である駆動用第２歯車１０５及び駆動用第１歯車１０６を介して、回転駆動が伝達されて回転軸Ｐ２を中心に回転し、これによりメインモータ３１が発電する。さらに、回転軸Ｐ２が回転することにより、駆動伝達機構であるプーリ１０７，１０９を介して、回転駆動が伝達されて回転軸Ｐ１を中心にドラム３２が回転する。
【００３８】
また、ユーザが、持手部１０１ａを持ち、押釦１０１ｃを押下操作している間、ハンドル１０１は、給紙部４に給紙を許可する給紙許可信号を制御部８に供給し続ける。
【００３９】
＜孔版印刷装置の機能構成＞
図４は、本発明の実施例１である孔版印刷装置１の機能構成を示した機能構成図である。ここで、図４に示す二重線は、駆動の伝達を示しており、実線は、電力の供給を示しており、破線は、制御信号の伝達を示している。
【００４０】
図４に示すように、本発明の実施例１である孔版印刷装置１は、ユーザにより、ハンドル１０１が回転されると、各歯車を介して駆動力がドラム３２に伝達され、さらにこのドラム３２が回転することにより、２次給紙ロール４５が回転する。
【００４１】
また、ユーザにより、ハンドル１０１が回転されると、各歯車、各プーリ、ベルト等の駆動伝達機構を介して駆動力がメインモータ３１に伝達され、これによりメインモータ３１が発電する。発電された電力は、電源回路７９に供給され、電源回路７９により整流等の処理が実行された後、制御部８に電力が供給される。
【００４２】
制御部８には、ロータリエンコーダ３６、基準位置検出センサ３５、給紙センサ４６、紙有無センサ４８、紙ジャム検出センサ５３、回転速度検出センサ７７等の各種センサからの検出信号が供給される。なお、基準位置検出センサ３５、給紙センサ４６、紙有無センサ４８、紙ジャム検出センサ５３については、前述したので、説明を省略する。
【００４３】
回転速度検出センサ７７は、回転軸Ｐ２の回転速度を検出する。
【００４４】
また、押釦１０１ｃから、給紙部４に給紙を許可する給紙許可信号が供給される。
【００４５】
制御部８には、ドライブ回路２０２ａ〜２０２ｆが電気的に接続されており、ドライブ回路２０２ａ〜２０２ｆに制御信号を供給する。ドライブ回路２０２ａ〜２０２ｆは、それぞれ排紙モータ５５、排紙ファン５２ａ、分離ファン５６、給紙クラッチ４７、ソレノイド部３８、給紙台４２の給紙駆動系に制御信号を供給する。
【００４６】
制御部８は、孔版印刷装置１の各機器を制御する。また、制御部８は、押釦１０１ｃから給紙許可信号が供給されている間、メインモータ３１により発電された電力を用いて、回転速度検出センサ７７により検出された回転速度に応じて、給紙部４に給紙させるように制御する。
【００４７】
具体的には、制御部８は、回転速度検出センサ７７により検出された回転速度が低速印刷速度（第２の所定速度）より低い場合に、給紙部４に給紙を停止させる。ここで、低速印刷速度とは、孔版印刷装置１が印刷処理を実行する上で、最低限必要な電力を発電するための回転速度である。
【００４８】
また、制御部８は、回転速度検出センサ７７により検出された回転速度が低速印刷速度以上であり、かつ連続給紙速度（所定速度）未満の場合に、ドラム３２により印刷された印刷用紙が当該孔版印刷装置１から排紙された後に給紙部４に給紙させる。さらに、制御部８は、回転速度検出センサ７７により検出された回転速度が連続給紙速度以上の場合に、ドラム３２により印刷された印刷用紙が孔版印刷装置１から排紙される前に、給紙部４に給紙させる。
【００４９】
ここで、連続給紙速度とは、連続的に給紙部４から給紙するための回転速度である。印刷用紙Ｗが孔版印刷装置１から排紙される前に給紙部４から給紙される（以下、連続給紙という）場合、安定的かつ高速に印刷処理を実行可能である。その一方で、連続給紙すると、常に孔版印刷装置１内で印刷用紙Ｗが搬送されていることになるので、連続給紙中に突然電力供給が停止されると、孔版印刷装置１内で印刷用紙Ｗが滞留してしまい、紙詰まりの原因となる。
【００５０】
そこで、本発明の実施例１である孔版印刷装置１では、回転速度検出センサ７７により検出された回転速度が低速印刷速度以上であり、かつ連続給紙速度未満の場合に、制御部８は、孔版印刷装置１内に印刷用紙Ｗが滞留していない状態で孔版印刷装置１を停止することができるように、印刷用紙Ｗが孔版印刷装置１から排紙された後に給紙部４に給紙させる（以下、間欠給紙という）。
【００５１】
そして、回転速度検出センサ７７により検出された回転速度が連続給紙速度以上の場合は、ユーザに孔版印刷装置１を停止させる意図はなく、高速に印刷処理を実行したいと推測できるので、制御部８は、給紙部４に連続給紙、即ち、ドラム３２により印刷された印刷用紙が孔版印刷装置１から排紙される前に給紙部４に給紙させる。
【００５２】
このように、メインモータ３１の回転軸Ｐ２の回転速度がこの連続給紙速度より低くなった場合に、連続給紙から間欠給紙に切り替わるので、ユーザがハンドル１０１の回転を停止するタイミングが明確になる。
【００５３】
そのため、ユーザは、孔版印刷装置１を停止させたい場合、ユーザがハンドル１０１の回転数を低下させて、間欠給紙に切り替わった後、ハンドル１０１の回転を停止する。これにより、孔版印刷装置１内に印刷用紙Ｗを滞留させることなく、孔版印刷装置１を停止することができる。
【００５４】
＜孔版印刷装置１の作用＞
次に、本発明の実施例１である孔版印刷装置１の作用について説明する。
【００５５】
図５は、本発明の実施例１である孔版印刷装置１における処理手順を示したフローチャートである。
【００５６】
図５に示すように、本発明の実施例１である孔版印刷装置１が備える制御部８は、手回し印刷開始が要求されたか否かを判定する（ステップＳ１０１）。具体的には、ユーザにより、ハンドル１０１が回転され、電源回路７９にメインモータ３１から電力が供給されると共に、ユーザにより、操作部７から、印刷を開始させるためのスタートキーが押下操作されたか否かを判定する。
【００５７】
ステップＳ１０１において、手回し印刷開始が要求されたと判定された場合（ＹＥＳの場合）、ハンドル１０１の回転速度の取得を開始する（ステップＳ１０３）。具体的には、制御部８は、回転速度検出センサ７７により検出された回転軸Ｐ２の回転速度の取得を開始する。これにより、一定の時間間隔で、回転速度検出センサ７７から制御部８へ回転速度が供給される。
【００５８】
次に、制御部８は、回転軸Ｐ２の回転速度が、低速印刷速度以上か否かを判定する（ステップＳ１０５）。
【００５９】
ステップＳ１０５において、回転軸Ｐ２の回転速度が、低速印刷速度以上であると判定された場合（ＹＥＳの場合）、制御部８は、給紙タイミングか否かを判定する（ステップＳ１０７）。具体的には、制御部８は、ドラム３２の回転角度に基づいて、１次給紙ロール４３，４４により、給紙台４２から最上位置の印刷用紙Ｗを給紙するタイミングか否かを判定する。
【００６０】
ステップＳ１０７において、給紙タイミングに達したと判定された場合（ＹＥＳの場合）、制御部８は、押釦１０１ｃが押下操作されているか否かを判定する（ステップＳ１０９）。具体的には、制御部８は、押釦１０１ｃから給紙許可信号が供給されているか否かを判定する。
【００６１】
ステップＳ１０９において、押釦１０１ｃが押下操作されていると判定された場合（ＹＥＳの場合）、押釦１０１ｃから給紙許可信号が供給されているので、制御部８は、給紙部４に給紙させる（ステップＳ１１１）。この制御部８の指示により、１次給紙ロール４３，４４が、給紙台４２から最上位置の印刷用紙Ｗを搬送させ、一対の２次給紙ロール４５が、１次給紙ロール４３，４４によって搬送された印刷用紙Ｗをドラム３２の回転に同期してドラム３２とプレスロール３７間に搬送させる。
【００６２】
次に、制御部８は、回転軸Ｐ２の回転速度が、連続給紙速度以上か否かを判定する（ステップＳ１１３）。
【００６３】
ステップＳ１１３において、回転軸Ｐ２の回転速度が、連続給紙速度未満であると判定された場合（ＮＯの場合）、制御部８は、印刷用紙Ｗの排紙が完了したか否かを判定する（ステップＳ１１５）。具体的には、制御部８は、基準位置検出センサ３５により印刷用紙Ｗの後端が検出されると、印刷用紙Ｗの排紙が完了したと判定する。これにより、制御部８は、印刷用紙Ｗが孔版印刷装置１から排紙されるまで、次の印刷用紙Ｗの給紙を待機させることができる。
【００６４】
一方、ステップＳ１１３において、回転軸Ｐ２の回転速度が、連続給紙速度以上であると判定された場合（ＹＥＳの場合）、制御部８は、ハンドル１０１が停止しているか否かを判定する（ステップＳ１１７）。具体的には、ユーザにより、ハンドル１０１が回転され、メインモータ３１から電源回路７９への電力供給が停止している場合、制御部８は、ハンドル１０１が停止していると判定する。
【００６５】
以上のように、本発明の実施例１である孔版印刷装置１によれば、給紙許可信号が供給されている間、回転速度検出センサ７７により検出された回転速度に応じて、給紙部４に給紙させるように制御するので、印刷用紙Ｗが孔版印刷装置１内に滞留した状態で停止することを防止することができる。
【００６６】
なお、本発明の実施例１では、ユーザにより押釦１０１ｃが押下操作されることにより、給紙許可信号が供給されている間、回転速度検出センサ７７により検出された回転速度に応じて、給紙部４に給紙させるように制御する孔版印刷装置１を例に挙げて説明したが、押釦に限らず、スライドスイッチ等、ユーザ操作可能なスイッチであればよく、また、押釦を備える構成を省略すると共に、給紙許可信号が供給されているか否かを判定する処理ステップを省略してもよい。
【００６７】
また、本発明の実施例１では、人力で１つのドラムを回転することにより印刷を行うと共に、人力発電された電力を用いて各種制御を行う１ドラム式の孔版印刷装置１を例に挙げて説明したが、２色印刷又は両面印刷が可能な２ドラム式の孔版印刷装置であってもよい。
【符号の説明】
【００６８】
１…孔版印刷装置
２…製版部
３…印刷部
４…給紙部
５…排紙部
６…排版部
７…操作部
８…制御部
９…画像読み取り部
３１…メインモータ
３２…ドラム
３５…基準位置検出センサ
３６…ロータリエンコーダ
４２…給紙台
４３，４４…１次給紙ロール
４５…２次給紙ロール
４６…給紙センサ
４７…給紙クラッチ
４８…紙有無センサ
７７…回転速度検出センサ（回転速度検出手段）
７９…電源回路
１０１…ハンドル（回転操作部材）
１０１ａ…持手部
１０１ｂ…支持部
１０１ｃ…押釦
１０３…ワンウェイクラッチ
１０５…第２歯車
１０６…第１歯車
１０７，１０９…プーリ
１０９…プーリ
１１１…ベルト
１１２…テンションローラ
２０２ａ〜２０２ｆ…ドライブ回路
【図１】
2013132844.tif 000003
【図２】
2013132844.tif 000004
【図３】
2013132844.tif 000005
【図４】
2013132844.tif 000006
【図５】
2013132844.tif 000007